(57)【特許請求の範囲】
【請求項１】
２本の棒状体が回動継手により、側面視において回動継手によってＸ形状に交差軸着されて開閉自在となされた脚体が相対向して左右一対設けられ、左右の前記回動継手が支持部材で連結されてなり、前記回動継手は内側継手片と外側継手片とが回動自在に軸着され、前記内側継手片に設けられた棒状体挿入部に、Ｘ形状に交差軸着されている２本の棒状体の内の一方の棒状体が挿入されていると共に、他方の棒状体が前記外側継手片に設けられた棒状体挿入部に挿入されている物干し具であって、
前記内側継手片と外側継手片とは、回動軸部材により互いに回動自在に軸着されるものであって、前記内側継手片の円柱部と前記外側継手片の円柱部とが連設され、前記２つの円柱部のそれぞれに設けられた貫通孔に頭部を備えた回動軸部材が挿通されると共に、前記回動軸部材が前記貫通孔から抜けないように係止部材を設けて前記内側継手片と外側継手片との軸着を維持させ、かつ前記回動軸部材及び係止部材は前記２本の棒状体間に設けられ、前記回動軸部材の軸心と前記２本の棒状体の回動軸心とが一致するようになされていることを特徴とする物干し具。
【請求項２】
前記棒状体は上部脚杆と下部脚杆とからなり、該下部脚杆が前記棒状体挿入部に挿入固着され、前記上部脚杆の外径が前記下部脚杆の内径より小径となされて、前記上部脚杆が前記下部脚杆に伸縮自在に挿入されていることを特徴とする請求項１に記載の物干し具。
【発明の詳細な説明】
【技術分野】
【０００１】
本発明は、２本の脚杆が回動継手によりＸ形状に交差軸着されて開閉回動可能となされた脚体が相対向して左右一対設けられた物干し具に関するに関するものである。
【背景技術】
【０００２】
この種の物干し具については、従来より種々の提案がなされており、例えば、２本の脚杆が回動継手によりＸ形状に交差軸着されて開閉自在となされた脚体が、相対向して左右一対設けられ、該一対の脚体の各脚杆上端部間に物干し用横桟が架設されてなる物干し具に於いて、脚杆が上部脚杆と下部脚杆からなり、下部脚杆が回動継手に固着され、上部脚杆は下部脚杆の内径より小径となされて、上部脚杆は下部脚杆に伸縮自在に挿入され、前記回動継手は回動軸を中心に内側継手片と外側継手片とが回動自在に軸着され、各継手片は円盤部とこの円盤部の表面に設けられた脚杆挿入部からなり、内側継手片に設けられた脚杆挿入部に、Ｘ形状に交差軸着される２本の脚杆の内の一方の脚杆が挿入されると共に、もう一方の脚杆が外側継手片に設けられた脚杆挿入部に挿入され、かつ、内側継手片と外側継手片とに設けられた各脚杆挿入部は、回動軸から少なくとも該脚杆挿入部に挿入される脚杆の外径だけ離間された位置に設けられている物干し具が開示されている（例えば、特許文献１参照）。
【先行技術文献】
【特許文献】
【０００３】
【特許文献１】特許第４４６５２２９号公報
【発明の概要】
【発明が解決しようとする課題】
【０００４】
しかしながら、上記従来の物干し具にあっては、脚体を閉じて物干し具を収納する際、各継手片の円盤部の外径の幅の収納スペースが必要となり、仮にこの円盤部の外径を小径としたとしても、内側継手片と外側継手片とに設けられた各脚杆挿入部が、回動軸から少なくとも該脚杆挿入部に挿入される脚杆の外径だけ離間された位置に設けられているので、脚体を閉じた状態では、側面視において、回動軸の外径と、２本の脚杆の外径と、２個の脚杆挿入部の外径とを加算した幅の収納スペースが必要となり、さらに幅の狭い収納スペースにも収納できる物干し具が要望されていた。
【０００５】
本発明は、収納する際に、側面視における幅（正面視における奥行）や高さを小さくすることができる物干し具を提供せんとするものである。
【課題を解決するための手段】
【０００６】
上記目的を達成するために、本発明は次のような構成としている。
すなわち本発明に係る物干し具は、２本の棒状体が回動継手により、側面視において回動継手によってＸ形状に交差軸着されて開閉自在となされた脚体が相対向して左右一対設けられ、左右の前記回動継手が支持部材で連結されてなり、前記回動継手は内側継手片と外側継手片とが回動自在に軸着され、前記内側継手片に設けられた棒状体挿入部に、Ｘ形状に交差軸着されている２本の棒状体の内の一方の棒状体が挿入されていると共に、他方の棒状体が前記外側継手片に設けられた棒状体挿入部に挿入されている物干し具であって、前記内側継手片と外側継手片とは、回動軸部材により互いに回動自在に軸着されるものであって、前記内側継手片の円柱部と前記外側継手片の円柱部とが連設され、前記２つの円柱部のそれぞれに設けられた貫通孔に頭部を備えた回動軸部材が挿通されると共に、前記回動軸部材が前記貫通孔から抜けないように係止部材を設けて前記内側継手片と外側継手片との軸着を維持させ、かつ前記回動軸部材及び係止部材は前記２本の棒状体間に設けられ、前記回動軸部材の軸心と前記２本の棒状体の回動軸心とが一致するようになされていることを特徴とするものである。
【０００７】
また本発明に係る物干し具において、前記棒状体は上部脚杆と下部脚杆とからなり、該下部脚杆が前記棒状体挿入部に挿入固着され、前記上部脚杆の外径が前記下部脚杆の内径より小径となされて、前記上部脚杆が前記下部脚杆に伸縮自在に挿入されているとともに、前記脚体を形成する２本の前記棒状体の一方の上部脚杆が他方の上部脚杆より長く形成するようにしてもよい。
【発明の効果】
【０００８】
本発明に係る物干し具によれば、前記内側継手片と外側継手片とは、回動軸部材により互いに回動自在に軸着されるものであって、前記内側継手片の円柱部と前記外側継手片の円柱部とが連設され、前記２つの円柱部のそれぞれに設けられた貫通孔に頭部を備えた回動軸部材が挿通されると共に、前記回動軸部材が前記貫通孔から抜けないように係止部材を設けて前記内側継手片と外側継手片との軸着を維持させ、かつ前記回動軸部材及び係止部材は、前記２本の棒状体間に設けられ、前記回動軸部材の軸心と前記２本の棒状体の回動軸心とが一致するようになされているので、脚体を閉じて物干し具を収納する際、前記円柱部に配置されている回動軸部材を軸心として脚体を閉じていくと、前記内側継手片と外側継手片との棒状体挿入部に挿入された２本の棒状体が側面視において一直線状に重なり、前記棒状体挿入部の外径分の収納スペースさえあれば、前記物干し具を収納することができる。
【０００９】
また本発明に係る物干し具によれば、前記棒状体は上部脚杆と下部脚杆とからなり、該下部脚杆が前記棒状体挿入部に挿入固着され、前記上部脚杆の外径が前記下部脚杆の内径より小径となされて、前記上部脚杆が前記下部脚杆に伸縮自在に挿入されているので、脚体を閉じて物干し具を収納する際、前記上部脚杆を縮めて前記下部脚杆内に挿入すれば、前記物干し具の高さを低くすることができ、高さの低い収納スペースに収納することができる。
【図面の簡単な説明】
【００１０】
【図１】本発明に係る物干し具の一つの実施形態の使用状態を示す、（ａ）は正面図、（ｂ）は側面図である。
【図２】図１に示す実施形態の収納状態を示す正面図である。
【図３】図２の側面図である。
【図４】図２の平面図である。
【図５】図３のＡ−Ａ断面の拡大図である。
【図６】図１に示す実施形態の内側継手片を示す、（ａ）は正面図、（ｂ）は平面図、（ｃ）は底面図、（ｄ）は左側面図、（ｅ）は右側面図である。
【図７】図１に示す実施形態の外側継手片を示す、（ａ）は正面図、（ｂ）は平面図、（ｃ）は底面図、（ｄ）は左側面図、（ｅ）は右側面図である。
【図８】図１に示す実施形態の回動軸部材を構成する軸部材本体及びその係止部材を示す、（ａ）は正面図、（ｂ）は左側面図、（ｃ）は右側面図である。
【図９】図１に示す実施形態の回動継手の状態を示す、（ａ）は収納状態での断面図、（ｂ）は使用状態での断面図である。
【発明を実施するための形態】
【００１１】
次に、本発明を実施するための形態について図面を参照し、具体的に説明する。
Ｐは本発明に係る物干し具であって、２本の円筒パイプからなる棒状体１，２の長手方向の中央部に回動継手３が取付けられ、該回動継手３により、側面視においてＸ形状に交差軸着されて開閉自在となされた脚体Ｋが相対向して左右一対設けられ、該一対の脚体Ｋの棒状体１の上端部間及び棒状体２の上端部間には、洗濯物等を干すための円筒状の横桟Ｙ１、Ｙ２がそれぞれ差し渡されると共に、左右の前記回動継手３が横棒状の支持部材４で連結されている。つまり、左右に配置されている前記棒状体１，１と、その上部間に差し渡された横桟Ｙ１とで、コ字状に形成されており、同様に、左右に配置されている前記棒状体２，２と、その上部間に差し渡された横桟Ｙ２とで、コ字状に形成されている。なお、本明細書の記載において、物干し具Ｐの使用状態とは、側面視において前記脚体Ｋを構成する棒状体１，２を開いてＸ形状となるようにした状態を示し、物干し具Ｐの収納状態とは、側面視において前記脚体Ｋを構成する棒状体１，２を閉じて一直線状に重なるようにした状態を示す。
【００１２】
上述の通り、前記左右の棒状体１，２は、互いに同一側（左右方向の外側どうしと内側どうし）の棒状体１と１及び棒状体２と２を、それらの上端で連結部材Ｒ１，Ｒ２を介して横桟Ｙ１、Ｙ２にて連結されており、一方の棒状体１，２からなる脚体Ｋを回動操作するだけで、横桟Ｙ１、Ｙ２を介して他方の脚体Ｋも回動させることができるようになっている。なお、前記棒状体１，２の上端部は、前記連結部材Ｒ１，Ｒ２に挿入され、ねじ部材Ｎが螺入されて固着されている。
【００１３】
左右の前記脚体Ｋに備えられた回動継手３の構造について、正面視左側の回動継手３を用いて説明する。
前記回動継手３は、回動軸部材５の軸心Ｊを中心に内側継手片３１と外側継手片３２とが回動自在に軸着され、それぞれの継手片３１，３２は円柱部３１ａ，３２ａとこの円柱部３１ａ，３２ａの一端に設けられた棒状体挿入部３１ｂ、３２ｂとを備え、前記内側継手片３１に設けられた棒状体挿入部３１ｂに、Ｘ形状に交差軸着される２本の棒状体の内の一方の棒状体１が挿入されていると共に、他方の棒状体２が前記外側継手片３２に設けられた棒状体挿入部３２ｂに挿入されている。
【００１４】
詳細には、前記外側継手片３２は、左右方向外側に位置する棒状体２が挿入されている合成樹脂製の円筒形状の棒状体挿入部３２ｂの内側面から左右方向内側（右側）に円柱部３２ａが突設され一体形成されてなり、前記内側継手片３１は、左右方向内側に位置する棒状体１が挿入されている合成樹脂製の円筒形状の棒状体挿入部３１ｂの外側面から左右方向外側（左側）に円柱部３１ａが突設され一体形成されてなり、前記内側継手片３１と外側継手片３２の円柱部３１ａ，３２ａどうしが連設され回動自在に軸着されると共に、前記回動軸部材５は前記内側継手片３１と外側継手片３２との棒状体挿入部３１ｂ、３２ｂに挿入された２本の棒状体１，２の間に設けられ、加えて、前記脚体Ｋを開閉する際の２本の前記棒状体１，２の回動軸心と前記回動軸部材５の軸心Ｊとが一致するようになされている。
【００１５】
また前記内側継手３１と外側継手３２の円柱部３１ａ，３２ａの中心には、前記回動軸部材５が挿入可能な円筒形の貫通孔３１ｃ，３２ｃが設けられ、該貫通孔３１ｃと貫通孔３２ｃとに前記回動軸部材５が挿入されて、前記円柱部３１ａ，３２ａが連設されている。
【００１６】
また前記回動軸部材５は、半球状のドーム型の頭部５１１とその頭部の水平な底面から円柱体５１２が突設された、いわゆる丸頭リベットからなる軸部材本体５１と、前記内側継手片３１と外側継手片３２の貫通孔３１ｃ，３２ｃに挿入した前記円柱体５１２が抜けないようにするための係止部材５２とからなり、該係止部材５２は、前記軸部材本体５１の円柱体５１２の直径よりやや小径の透孔５２１が円板の中央に設けられた平ワッシャー状に形成され、前記透孔５２１から外方に向けて放射状に切り込み５２２が６個設けられている。そして、前記内側継手片３１と外側継手片３２とが連設された状態で、前記貫通孔３１ｃ，３２ｃに前記軸部材本体５１の円柱体５１２を挿入した後、前記円柱体５１２の先端に前記係止部材５２の透孔５２１を嵌め込んでいくと、放射状に設けられた前記切り込み５２２が開き、前記円柱体５１２の側面に引っ掛かって、前記軸部材本体５１が前記貫通孔３１ｃ，３２ｃから抜けないようになされている。なお、前記回動軸部材５として、前記軸部材本体５１にいわゆる六角ボルトを用い、前記係止部材５２にいわゆる六角ナットを用いてもよい。
【００１７】
そして、前記内側継手片３１の内側面から左右方向内側に向けて、前記支持部材４を挿入するための円筒状の支持部材挿入部３１ｄが突設され一体形成されており、左右の前記回動継手３のそれぞれの前記内側継手片３１に設けられた前記支持部材挿入部３１ｄに前記支持部材４の両端部が挿入され、ねじ部材Ｎが螺入されて、左右の前記回動継手３が連結されている。
【００１８】
また前記外側継手３２の円柱部３２ａの外側面の、前記貫通孔３２ｃの軸心の延長線上には、円形の通孔３２ｄが設けられている。この通孔３２ｄは、前記内側継手片３１と外側継手片３２の円柱部３１ａ，３２ａの端部どうしを当接した状態で、前記通孔３２ｄから前記回動軸部材５を入れて、前記貫通孔３１ｃ，３２ｃに前記軸部材本体５１を挿入して、前記係止部材５２を前記軸部材５１の先端側から嵌め込んで、前記内側継手片３１と外側継手片３２とを回動自在に軸着する際に用いるためのものである。そして、前記内側継手片３１と外側継手片３２とを回動自在に軸着した後、前記通孔３２ｄを塞ぐための蓋体Ｆが取付けられる。
【００１９】
そして前記内側継手片３１と外側継手片３２とが回動自在に軸着された後、後述する前記棒状体１，２の下部脚杆１２，２２を前記棒状体挿入部３１ｂ、３２ｂに下側から挿入し、その後、後述する前記棒状体１，２の上部脚杆１１，２１を前記下部脚杆１２，２２に上側から挿入して、前記物干し具Ｐが形成される。
【００２０】
さらに、前記内側継手片３１と外側継手片３２の前記棒状体挿入部３１ｂ、３２ｂの上端部には、図５に示すように、雄ねじ部３１ｅ，３２ｅが形成されている。そして、該雄ねじ部３１ｅ，３２ｅが設けられている前記棒状体挿入部３１ｂ、３２ｂの上端部は上下に延在する４個のスリットＳが設けられており、前記棒状体挿入部３１ｂ、３２ｂの上端部を縮径できるように構成されている。また前記棒状体挿入部３１ｂ、３２ｂの上端部には、円筒状の筒状部材３３が外嵌するように構成されており、該筒状部材３３の内側面には、前記雄ねじ部３１ｅ，３２ｅに螺合する雌ねじ部３３１が形成されている。
【００２１】
また、前記筒状部材３３の内側面の上端部には、テーパー面３３２が形成されており、該テーパー面３３２においては、その内径寸法が上方へ向かうに従って狭くなるように構成されている。これにより、前記筒状部材３３を前記棒状体挿入部３１ｂ、３２ｂの上端部に螺入するに従って、前記棒状体挿入部３１ｂ、３２ｂの上端部を、その中心軸Ｔ方向へ向けて傾倒させ、当該上端部を縮径できうるように構成されており、前記棒状体挿入部３１ｂ、３２ｂに挿通された前記棒状体１，２の上部脚杆１１，２１を締め付けて、所望の位置で固定することができるように構成されている。
【００２２】
また、前記内側継手片３１と外側継手片３２とが連設される際に当接される端部には、前記回動軸部材５の軸心Ｊを中心とした点対称の位置に、それぞれ２個ずつの突片３１ｆ，３１ｇ、及び３２ｆ，３２ｇが設けられている。図６，７に示すように、前記内側継手片３１の突片３１ｆ，３１ｇと、前記外側継手片３２の突片３２ｆ，３２ｇとは、左側面視において扇型となされ、すなわち前記突片３１ｆ，３１ｇ、及び３２ｆ，３２ｇは扇型の柱状体となされて、それぞれの突片３１ｆ，３１ｇ、及び３２ｆ，３２ｇには、２個の側壁３１ｆ１，３１ｆ２と側壁３１ｇ１，３１ｇ２、及び側壁３２ｆ１，３２ｆ２と側壁３２ｇ１，３２ｇ２とが設けられている。
【００２３】
そして前記突片３１ｆ，３１ｇ、及び３２ｆ，３２ｇは、前記内側継手片３１と外側継手片３２とが前記回動軸部材５により回動可能に軸着された際に、同一円軌道上に位置するようになされ、前記内側継手片３１と外側継手片３２を前記回動軸部材５の軸心Ｊを中心に回動させたとき、前記突片３１ｆ，３１ｇのそれぞれの側壁３１ｆ１，３１ｆ２，３１ｇ１，３１ｇ２と、前記突片３２ｆ，３２ｇのそれぞれの側壁３２ｆ１，３２ｆ２，３２ｇ１，３２ｇ２とが互いに当接分離自在となるように形成されている。
【００２４】
すなわち、前記物干し具Ｐが収納状態である前記棒状体１，２が一直線状に重なっている状態においては、前記内側継手片３１の側壁３１ｆ１と前記外側継手片３２の側壁３２ｆ２とが当接していると共に、前記内側継手片３１の側壁３１ｇ２と前記外側継手片３２の側壁３２ｇ１とが当接するようになされ、一方、前記内側継手片３１の側壁３１ｆ２と前記外側継手片３２の側壁３２ｇ２とは分離されていると共に、前記内側継手片３１の側壁３１ｇ１と前記外側継手片３２の側壁３２ｆ１とは分離されているように形成されている。
【００２５】
そして前記棒状体１，２を所定の角度までＸ形状に開いていき、前記物干し具Ｐの使用状態においては、前記内側継手片３１の側壁３１ｆ２と前記外側継手片３２の側壁３２ｇ２とが当接していると共に、前記内側継手片３１の側壁３１ｇ１と前記外側継手片３２の側壁３２ｆ１とが当接するようになされ、一方、前記内側継手片３１の側壁３１ｆ１と前記外側継手片３２の側壁３２ｆ２とは分離されていると共に、前記内側継手片３１の側壁３１ｇ２と前記外側継手片３２の側壁３２ｇ１とは分離されているように形成されている。
【００２６】
また、正面視右側の回動継手３については、正面視左側の前記回動継手３と左右勝手違いの構造となされている。つまり、前記外側継手片３２については、左右いずれの前記回動継手３も同一の構造であるが、前記内側継手片３１の構造については左右勝手違いとなっており、図６（ｄ）を用いて説明すると、正面視右側の前記内側継手片３１に設けられている突片３１ｆ，３１ｇは、前記中心軸Ｔを対称軸として線対称の位置に設けられている。
【００２７】
このようにして、前記内側継手片３１と外側継手片３２とに、それぞれ２個ずつの前記突片３１ｆ，３１ｇ、及び３２ｆ，３２ｇを設けることにより、前記物干し具Ｐの使用状態においては、前記物干し具Ｐの脚部Ｋを構成する棒状体１，２が所定の角度以上に開かないように、また前記物干し具Ｐ使用状態から収納状態に前記棒状体１，２を閉じる際には、それらが一直線状となった位置で棒状体１，２の移動が阻止され、それ以上動かないように形成されている。
【００２８】
次に、左右に相対向して一対に設けられた前記脚体Ｋについて説明する。
前記棒状体１，２は１本の円筒パイプであってもよいが、本実施形態のように、前記棒状体１，２は上部脚杆１１，２１と下部脚杆１２，２２とで形成し、前記下部脚杆１２，２２が前記棒状体挿入部３１ｂ、３２ｂに挿入固着され、前記上部脚杆１１，２１の外径が前記下部脚杆１２，２２の内径より小径となされて、前記上部脚杆１１，２１が前記下部脚杆１２，２２に伸縮自在に挿入されているように形成してもよい。このように形成することにより、前記脚体Ｋを閉じて物干し具Ｐを収納する際、前記上部脚杆１１，２１を縮めて前記下部脚杆１２，２２内に挿入すれば、前記物干し具Ｐの高さを低くすることができ、高さの低い収納スペースに収納することができる。
【００２９】
また、前記脚体Ｋを形成する２本の前記棒状体１，２の一方の上部脚杆２１は他方の上部脚杆１１より長く形成されている。このように形成することにより、図３〜５に示すように、前記脚体Ｋを使用状態のＸ形状から、収納状態に閉じていっても、前記横桟Ｙ１、Ｙ２どうしが干渉することなく、前記棒状体１，２を一直線状に重ね合わせることができるため、前記棒状体挿入部３１ｂ、３２ｂの外径の幅の収納スペースさえあれば、前記物干し具Ｐを収納することができる。
【００３０】
さらに、前記円柱部３１ａ，３２ａの外径は前記棒状体挿入部３１ｂ、３２ｂの外径を超えないように形成され、前記支持部材挿入部３２ｃも前記棒状体挿入部３１ｂ、３２ｂの外径を超えないように形成されているため、前記脚体Ｋを使用状態のＸ形状から収納状態に閉じていき、前記棒状体１，２を一直線状に重ね合わせれば、前記棒状体挿入部３１ｂ、３２ｂの外径の幅の収納スペースさえあれば、前記物干し具Ｐを収納することができる。
【００３１】
また、前記物干し具Ｐに用いられる円筒形状の部材である棒状体１，２、横桟Ｙ１，Ｙ２、支持部材４は、金属パイプや金属パイプに合成樹脂を被覆したものが好適に用いられる。
【００３２】
なお、上述の実施形態においては、前記横桟Ｙ１，Ｙ２、及び支持部材４は１本の横棒状の円筒パイプで形成されているものであるが、これに限定されるものではなく、前記脚体Ｋを構成する前記棒状体１，２のように、径大の円筒パイプとそれに挿入可能な径小の円筒パイプにより形成し、正面視においても、前記物干し具Ｐを左右方向に伸縮可能に形成してもよい。
【符号の説明】
【００３３】
１  棒状体
１１  上部脚杆
１２  下部脚杆
２  棒状体
２１  上部脚杆
２２  下部脚杆
３  回動継手
３１  内側継手片
３１ａ，３２ａ  円柱部
３１ｂ，３２ｂ  棒状体挿入部
３１ｃ，３２ｃ  貫通孔
３１ｄ  支持部材挿入部
３２ｄ  通孔
３１ｅ，３２ｅ  雄ねじ部
３１ｆ，３１ｇ  突片
３２ｆ，３２ｇ  突片
３１ｆ１，３１ｆ２，３１ｇ１，３１ｇ２  側壁
３２ｆ１，３２ｆ２，３２ｇ１，３１ｇ２  側壁
３２  外側継手片
３３  円筒部材
３３１  雌ねじ部
３３２  テーパー面
４  支持部材
５  回動軸部材
５１  軸部材本体
５１１  頭部
５１２  円柱体
５２  係止部材
５２１  透孔
５２２  切り込み
Ｐ  物干し具
Ｙ１，Ｙ２  横桟
Ｒ１，Ｒ２  連結部材
Ｊ  軸芯
Ｔ  中心軸
Ｆ  蓋体
Ｓ  スリット
Ｎ  固定ねじ
【図１】
0006542535.tif 000002
【図２】
0006542535.tif 000003
【図３】
0006542535.tif 000004
【図４】
0006542535.tif 000005
【図５】
0006542535.tif 000006
【図６】
0006542535.tif 000007
【図７】
0006542535.tif 000008
【図８】
0006542535.tif 000009
【図９】
0006542535.tif 000010